(57)【特許請求の範囲】
【請求項１】
前面板にインク噴射口を有するケースの内部に、
袋にインクが入っているインクパックと、
インクパックと刃とが接近するように該インクパックを該刃の方向へ付勢すると共に、該インクパックに前記インク噴射口の方向へ圧力を付勢するばねと、
前記インク噴射口の縁の箇所に設けられ、該インクパックを破る刃と、
係止して該インクパックと該刃とを離れた状態に支持しており、外力を作用されたときに、係止が解除される係止機構とを有し、
該係止機構の係止が解除されると、上記ばねのばね力によって、インクパックと刃とが接近してインクパックが刃によって破られ、且つインクパックが圧力を付勢されて、前記インク噴射口から該インクが噴射する構成とした防盗用インクパック装置。
【請求項２】
請求項１に記載の防盗用インクパック装置において、
前記刃は、該前面板を切り起こし形成してあり、該前面板の一部である構成とした防盗用インクパック装置。
【請求項３】
請求項１に記載の防盗用インクパック装置において、
前記インクパックの背面側に位置する押し板を更に有し、
前記ばねが、該押し板と、前記ケースの背面板との間に設けてあり、該押し板を上記ケースの前面板の方向に付勢し、
前記インクパックが前記押し板によって全体に圧力を付勢されるようにした構成の防盗用インクパック装置。
【請求項４】
請求項１に記載の防盗用インクパック装置において、
前記ばねは、円錐圧縮コイルばねである構成の防盗用インクパック装置。
【請求項５】
請求項１に記載の防盗用インクパック装置において、
前記インクパックの背面側に位置する押し板を更に有し、
上記ばねは、円錐コイルばねであり、複数設けてあり、該押し板と、上記ケースの背面板との間に設けてあり、該押し板を上記ケースの前面板の方向に付勢し、
上記インクパックが上記押し板によって全体に圧力を付勢されるようにした構成の防盗用インクパック装置。
【請求項６】
インク噴射口及び内側に向いている刃を有する前面板部と側板部とよりなるケース本体と、該ケース本体の背面を覆う背面蓋部材とよりなるケースと、
支持用ラグを複数有し、該前面板の内面側に摺動可能に設けてある支持部材と、
上記刃から離れた状態で、上記複数の支持用ラグに支持されているトレイ部材と、
該トレイ部材上に載っている袋にインクが入っているインクパックと、
該インクパックの背面側に位置する押し板と、
該押し板と背面蓋部材との間に圧縮された状態で設けてあるばね部材とよりなり、
上記支持部材が移動されると、トレイ部材の支持用ラグによる支持が解除され、上記ばね部材のばね力によって、トレイ部材とインクパックと押し板とが前面板部にまで移動され、インクパックが刃によって破られ、且つインクパックが押し板によって圧力を付勢されて、上記インク噴射口からインクが噴射する構成とした防盗用インクパック装置。
【請求項７】
内部に請求項１乃至６のいずれか１項に記載の防盗用インクパック装置が取り付けてある箱本体と、
回動させて開く扉と、
該扉をロックしており、扉を開く際にロックを解除される鍵装置と、
該扉と上記防盗用インクパック装置との間を連結する連結機構と、
鍵装置によるロックが解除されたときに上記連結機構による連結を解除させる連結解除機構とよりなる構成とした貴重品保管庫。
【発明の詳細な説明】
【０００１】
【発明の属する技術分野】
【０００２】
本発明は防盗用インクパック装置及びこれを備えた貴重品保管庫に係り、特に紙幣等の貴重品を保管する貴重品保管庫の内部に取り付けられ使用され、貴重品保管庫の扉が不正に開かれた場合に動作してインクを噴射させて貴重品に印しをつける防盗用インクパック装置、及びこれを備えた貴重品保管庫に関する。
【０００３】
ここで、貴重品保管庫とは、持ち運び可能であるケース及び建物に備付けの金庫等貴重品を保管するものの全部を含む。
【従来の技術】
【０００４】
紙幣及び金券等の貴重品を保管する貴重品保管庫には、強盗しようとする意欲を減退させることによって盗難を防止する装置が備えてある。
【０００５】
一つの盗難防止装置は、扉が不正に開けられた場合に、ブザーを鳴らして警報音を発生させるものである。しかし、この装置は、警報音が何のための音なのか認知されていないため、盗難防止に効果的でない。また、ブザーの電源として電池を使用しているため、セットしてある電池が寿命となっている場合には、扉が不正に開かれた場合にブザーが鳴らないという問題点があった。
【０００６】
別の盗難防止装置は、扉が不正に開けられた場合に、特殊なインクによって紙幣を汚損させ、紙幣を流通不能とするものである。
【発明が解決しようとする課題】
【０００７】
例えば特開平６−１０８７４１号公報には、インクタンクと、散布パイプと、発熱線と、電池とを有し、電池が組み込まれており、扉が不正に開けられた場合に、発熱線が通電されて発熱し、散布パイプが融解され、インクが自重で漏れ出して、紙幣を汚損させる構成の装置が示されている。しかし、この装置では、セットしてある電池が寿命となっている場合には、扉が不正に開かれた場合でも発熱線が発熱せず、インクが流出しなくなってしまう。
【０００８】
また、特開平４−９８３８７号公報に示すように、特殊なインクが封入してあるインク袋を貴重品保管庫の天板の下面に取り付け、インク袋の下側に、針が植えてある揺動杆を配置し、揺動杆をばねによって付勢させ、扉が不正に開けられた場合に、ばねの力で揺動杆が動かされて、針がインク袋に孔を開け、インクが自重で漏れ出して、紙幣を汚損させる構成の装置が示されている。この装置では電池を使用していないため、電池の寿命の問題はない。しかし、インクは自重で漏れ出るものであるため、勢いがなく、紙幣を汚損する仕方が激しくなく、一部の紙幣は汚損を免れてしまう虞れもあった。
【０００９】
また、特開平６−１０８７４１号公報及び特開平４−９８３８７号公報に示されている装置は、モジュール化されてはいない。よって、貴重品保管庫の組立てが面倒となってしまう。また、貴重品保管庫のサイズの大きくなってしまう。
【００１０】
本発明は、上記の課題に鑑みてなされたものであり、紙幣等の貴重品を保管する貴重品保管庫の内部に取り付けられて使用され、貴重品保管庫の扉が不正に開かれた場合に紙幣が盗難品であると識別するためのインクの印しを付ける動作及び保管されている全部の紙幣をインクでひどく汚損させる動作が高い信頼性で行われるようにした防盗用インクパック装置を提供することを総括的な目的とする。
【課題を解決するための手段】
【００１１】
この目的を達成するために、本発明は、前面板にインク噴射口を有するケースの内部に、袋内にインクが入っているインクパックと、インクパックと刃とが接近するように付勢すると共に、該インクパックに圧力を付勢するばねと、該インクパックを破る刃と、係止して該インクパックと該刃とを離れた状態に支持しており、外力を作用されたときに、係止が解除される係止機構とを有し、該係止機構の係止が解除されると、上記ばねのばね力によって、インクパックと刃とが接近してインクパックが刃によって破られ、且つインクパックが圧力を付勢されて、上記インク噴射口からインクが噴射する構成としたものである。
インクパックを破るための力及びインクを噴射させる力を共に、ばねの力でもってまかなっているため、電源を利用した構成に比べて、動作の信頼性が高く、且つ製造のコストが安い。また、ばねの力でもってインクを噴射させる構成であるため、防盗用インクパック装置をどのような向きに設置しても、インクの噴射が勢い良く行われる。即ち、設置の自由度が高く、且つインクの噴射性が良い。インクの噴射が勢い良くなされるため、貴重品保管庫内に保管されている全部の紙幣を流通不能な状態にまでひどく汚損させることが可能である。
【００１２】
また、防盗用インクパック装置はユニット化されているため、貴重品保管庫を容易に組立てられるようにすること及び小型にすることが可能となる。
【００１３】
本発明は、インクパック内の略全部のインクが噴射するようにした防盗用インクパック装置を提供することを目的とする。
【００１４】
この目的を達成するために、本発明は、インクパックの背面側を押し板によって押すようにしたものである。
【００１５】
押し板はインクパックの全体を潰し、インクパック内の略全部のインクが噴射される。
【００１６】
また、本発明は、紙幣等の貴重品を保管する貴重品保管庫の扉が不正に開かれた場合に貴重品が盗難品であると識別するためのインクの印しを付ける動作が高い信頼性で行われるようにした貴重品保管庫を提供することを目的とする。
【００１７】
この目的を達成するために、本発明は、内部にクレイム１乃至６のうち何れか記載の防盗用インクパック装置が取り付けてある箱本体と、回動させて開く扉と、該扉をロックしており、扉を開く際にロックを解除される鍵装置と、該扉と上記防盗用インクパック装置との間を連結する連結機構と、鍵装置によるロックが解除されたときに上記連結機構による連結を解除させる連結解除機構とよりなる構成としたものである。
【００１８】
請求項１乃至６のうち何れか記載の防盗用インクパック装置は動作の信頼性が高く且つインクの噴射性が良いため、強盗が扉を不正に開いたとしても、保管されている全部の紙幣を流通不能な状態にまでひどく汚損させることが可能である。また、防盗用インクパック装置はユニット化されているため、貴重品保管庫は容易に組立てられる構成となり、且つ、小型になる。
【発明の実施の形態】
【００１９】
本発明の好適な実施の形態について、図を参照して、以下説明する。
【００２０】
図１は本発明の一実施例になるキャッシュボックス１０の内部の構造を示す。キャッシュボックス１０は、現金自動預入れ・支払い機（ＡＴＭ：ａｕｔｏｍａｔｅｄ
ｔｅｌｌｅｒ ｍａｃｈｉｎｅ）に装着されているものであり、箱本体１１と、この前面側の扉１２とを有する。Ｘ１−Ｘ２は幅方向、Ｙ１−Ｙ２は奥行き方向、Ｚ１−Ｚ２は高さ方向である。扉１２は、下側を軸１３によって支持されており、上側をＹ２方向である手前に引くことによって、図２に示すように開かれる。扉１２には、その上方の場所に、鍵装置１４が設けてある。
【００２１】
キャッシュボックス１０は、その内部に、紙幣を積み重ねて保管するための紙幣保管室１５を有する。紙幣保管室１５は、底板１６と、天板１７と、メッシュ状の背面板１８と、両側の側板（図示せず）とより形成してある。紙幣保管室１５の天板１７と背面板１８とが形成するコーナ部には、紙幣を送る紙幣送りローラ１９、２０が設けてある。２５は、紙幣保管室１５内に積み重ねて保管してある紙幣である。
【００２２】
キャッシュボックス１０の内部であって、紙幣保管室１５より背面側の空間２１内に、防盗用インクパック装置５０が縦向きの姿勢で組み込まれている。
【００２３】
また、キャッシュボックス１０の内部であって、紙幣保管室１５より下方の空間２２内に、連結機構３０が設けてある。
【００２４】
連結機構３０は、ブラケット３１と、摺動ブラケット３２と、コード３３と、フック部材３４とを有する構成である。
【００２５】
ブラケット３１は、Ｙ１−Ｙ２方向に延在して、箱本体１１に固定してある。
【００２６】
摺動ブラケット３２は、その長孔３２ａをブラケット３１上の二つのピン３１ａに嵌合されて、Ｙ１、Ｙ２方向に摺動可能に支持されており、引張りコイルばね３５によってＸ１方向に移動している。
【００２７】
コード３３は、摺動ブラケット３２と防盗用インクパック装置５０との間に接続してあり、途中、背面板１８の孔１８ａを通り、且つ、ブラケット３１のＸ２方向端側のプーリ３７に案内されている。
【００２８】
フック部材３４は、ブラケット３１のＸ１方向端側の軸３１ｂに回動可能に支持されており、軸３１ｂよりＸ１方向に延びているフック部３４ａと、軸３１ｂよりＸ２方向に延びている腕部３４ｂとよりなる。フック部３４ａが扉１２の内側の被係止部１２ａを係止している。腕部３４ｂと摺動ブラケット３２の立ち上がりラグ部３１ｂとの間のコイルばね３６によって、フック部材３４は、反時計方向に、即ち、フック部３４ａが扉１２の内側の被係止部１２ａを係止する方向に付勢されている。
【００２９】
また、鍵装置１４に関連して、Ｚ２方向に摺動するレバー４０が設けてある。レバー４０の下端は、フック部材３４の腕部３４ｂに対向している。鍵４１を鍵装置１４に差し込んで回す開錠操作を行うと、レバー４０がＺ２方向に摺動されて、腕部３４ｂを押して、フック部材３４が時計方向に回動され、フック部３４ａが扉１２の内側の被係止部１２ａから外れる。
【００３０】
図２は、扉１２が正常に開かれたときの状態を示す。鍵４１を使用して鍵装置１４を開錠した段階で、レバー４０がＺ２方向に摺動され、フック部材３４が時計方向に回動され、フック部３４ａが被係止部１２ａから外れて、摺動ブラケット３２の扉１２への連結が解除される。よって、扉１２を手前に引いて開く過程で、摺動ブラケット３２は引かれず、コード３３は引かれず、防盗用インクパック装置５０は動作しない。
【００３１】
図３は、扉１２が不正に開かれたときの状態を示す。「扉１２が不正に開かれたとき」とは、鍵４１を使用して開錠を行わないで扉１２を開いた場合をいい、例えば、強盗が鍵装置１４を壊して扉１２を引いて開いた場合をいう。
【００３２】
フック部３４ａが被係止部１２ａを係止しており、摺動ブラケット３２は扉１２に連結いる状態にあるため、扉１２を手前に引いて開く過程で、摺動ブラケット３２が引かれてＹ２方向に移動し、コード３３が引かれ、防盗用インクパック装置５０が動作し、特殊なインクが符号１４０で示すようにＹ２方向に勢い良く噴射され、メッシュ状の背面板１８を通って紙幣保管室１５内に噴射され、保管されている全部の紙幣２５が特殊なインクによってひどく汚損され、紙幣２５は流通不能な状態とされる。
【００３３】
なお、摺動ブラケット３２は、引張りコイルばね３５によってＹ１方向に引っ張られている。よって、キャッシュボックス１０を誤って落としたりしてキャッシュボックス１０に強い衝撃が作用した場合に、摺動ブラケット３２がＹ２方向に移動してしまうことが起きないようにしてある。
【００３４】
また、フック部材３４は、コイルばね３６によって、反時計方向に付勢されている。よって、強盗がキャッシュボックス１０に強い衝撃を作用させて、フック部３４ａが被係止部１２ａから外そうとしても、フック部３４ａが被係止部１２ａから外れないようになっている。
【００３５】
次に、防盗用インクパック装置５０について、図４、図５Ａ、図５Ｂ、図６を参照して説明する。
【００３６】
防盗用インクパック装置５０は、四角の箱形状を有し、ユニット化されており、且つ、分解不可能な構造であり、作動はばね力を利用して全て機械的に行われる構成である。
図４、図５Ａ、図５Ｂ、図６は、防盗用インクパック装置５０を、図１に示す設置姿勢と同じ姿勢で示す。図４、図５Ａ、図５Ｂ中のＸ１−Ｘ２、Ｙ１−Ｙ２、Ｚ１−Ｚ２は、図１中のＸ１−Ｘ２、Ｙ１−Ｙ２、Ｚ１−Ｚ２と同じ方向である。Ｘ１−Ｘ２は防盗用インクパック装置５０の幅方向、Ｚ１−Ｚ２は防盗用インクパック装置５０の高さ方向（長手方向）、Ｙ１−Ｙ２は防盗用インクパック装置５０の奥行き方向である。
【００３７】
防盗用インクパック装置５０は、ケース本体６０と、支持部材７０と、トレイ部材８０と、インクパック９０と、押し板１００と、背面蓋部材１１０と、二つの円錐圧縮コイルばね１２０、１２１とを有し、ケース本体６０と背面蓋部材１１０とよりなるが四角の箱形状のケース１３０の内部に、支持部材７０と、トレイ部材８０と、インクパック９０と、押し板１００と、二つの円錐圧縮コイルばね１２０、１２１と、圧縮コイルばね７６，７７とが組み込まれている構造である。
【００３８】
ケース本体６０は、前面板部６１と、周囲の側面板部６２〜６５とよりなる箱形状を有する。前面板部６１の中央に、複数のインク噴射開口窓６６がＹ１−Ｙ２方向に整列して形成してある。前面板部６１のＸ１側とＸ２側とに、夫々複数のスリット状のガイド孔６７，６８がＹ１−Ｙ２方向に整列して形成してある。各インク噴射開口窓６６の縁にＺ２方向であるケース本体６０の内側の方向に突き出た三角形の刃６９が形成してある。刃６９は隣り合うインク噴射開口窓６６でＸ１−Ｘ２方向上の異なる縁側から突き出している。
【００３９】
この刃６８は、プレス加工で前面板部６１にインク噴射開口窓６６に形成する過程で、切り起こすことによって形成されたものである。よって、刃６８はケース本体６０の一部であり、独立した刃部材は必要ではなく、防盗用インクパック装置５０は少ない部品点数で構成される。また、刃６８は前面板部６１に形成してあるため、防盗用インクパック装置５０は、Ｚ１−Ｚ２方向の寸法を小さくできる。また、刃６８はインク噴射開口窓６６の縁に位置しているため、インクパック９０に破られて孔が形成された箇所がインク噴射開口窓６６に対向し、インクはインク噴射開口窓６６を通って円滑に噴射される。
【００４０】
側面板部６５の内面側に圧縮コイルばね７６，７７が取り付けてある。
【００４１】
支持部材７０は、略Ｙ字形状を有し、Ｕ字形状のフレーム部７１と、フレーム部７１からＺ２方向に延びている腕部７２とよりなる。フレーム部７１は、Ｚ１−Ｚ２方向に延びている一対の側板部７３、７４と、Ｘ１−Ｘ２方向に延びており側板部７３、７４のＺ２方向の端の間を結ぶ結び板部７５とを有する。側板部７３、７４には、Ｚ１方向端に、支持用ラグ７３ａ，７４ａが形成してある。板部７５には、Ｚ１方向に折り曲げた支持用ラグ７５ａ，７５ｂが形成してある。
【００４２】
支持用ラグ７３ａ，７４ａ及び支持用ラグ７５ａ，７５ｂは、図５Ａに示すように、四箇所に分散してある。
【００４３】
側板部７３、７４には、Ｙ２方向の端の縁に、ガイドラグ７３ｂ，７４ｂと、摺動シュー７３ｃ，７４ｃが形成してある。側板部７３、７４のＹ２方向の端の縁には、ラグ７３ｄ，７４ｄが形成してある。
【００４４】
結び板部７５には、Ｙ２方向側に切欠開口部７５ｃが形成してある。支持用ラグ７５ａ，７５ｂは、切欠開口部７５ｃに臨んでいる。
【００４５】
腕部７２は、結び板部７５よりＺ２方向に延びている。
【００４６】
上記の支持部材７０は、ガイドラグ７３ｂ，７４ｂがガイド孔６７，６８に嵌合し、摺動シュー７３ｃ，７４ｃが前面板部６１の裏面に当接した状態でケース本体６０内に組み込まれている。支持部材７０は、圧縮コイルばね７６，７７のばね力によってＺ１方向に移動している。腕部７２は、側面板部６５の切欠部６５ａを通ってケース本体６０からＺ２方向に延びている。
【００４７】
トレイ部材８０は、平板状のトレイ本体部８１と、折り曲げられてトレイ本体部８１のＺ１方向の端及びＺ２方向の端よりＹ１方向に延びている腕部８２ａ，８２ｂ，８３ａ，８３ｂとよりなる。
【００４８】
トレイ本体部８１は、Ｕ字形状のフレーム部７１内に収まるサイズを有し、上記のインク噴射開口窓６６に対応して、このインク噴射開口窓６６より大きい開口窓８４が形成してある。トレイ本体部８１のＺ１方向端には、Ｘ１及びＸ２方向に突き出ているラグ部８５，８６を有する。トレイ本体部８１のＺ１方向端には、Ｚ１方向に突き出た突き出し部８７が形成してある。
【００４９】
トレイ部材８０は、図６に併せて示すように、Ｕ字形状のフレーム部７１内に収まって、ラグ部８５，８６を夫々支持用ラグ７３ａ，７４ａによって支持され、及びトレイ本体部８１のＺ１方向端の突き出し部８７の両側の部分８８，８９を夫々支持用ラグ７５ａ，７５ｂによって支持され、ケース本体６０の前面板部６１の裏面に対して寸法ａだけＹ１方向に離されて、刃６９に当らない状態にある。突き出し部８７は、切欠開口部７５ｃを通ってケース本体６０の側面板部６５の内面に近接している。
【００５０】
支持部材７０とトレイ部材８０とは、トレイ部材８０が底となっている箱構造を構成し、インクパック９０を収容するためのインクパック収容部９５が形成さしてある。
【００５１】
インクパック９０は、インク９１が封入してある合成樹脂製の袋９２であり、インクパック収容部９５に対応する大きさを有する。インク９１は、浸透性、拡散性を有するものである。また、インク９１は、磁性粉を含んでいる特殊なものでもよい。インクパック９０は、インクパック収容部９５内に収まっている。
【００５２】
押し板１００は、Ｕ字形状のフレーム部７１内に収まるサイズの平板であり、ラグ部７３ｄ，７４ｄ及び腕部８２ａ，８２ｂ，８３ａ，８３ｂによってＸ１−Ｘ２方向及びＹ１−Ｙ２方向の位置を規制されて、インクパック９０のＹ１側に当接している。
【００５３】
二つの円錐圧縮コイルばね１２０、１２１は、背面蓋部材１１０に切り起こして形成してあるラグ１１１に係止されて取り付けてあり、Ｚ１−Ｚ２方向に並んでいる。
【００５４】
背面蓋部材１１０は、円錐圧縮コイルばね１２０、１２１が圧縮された状態で、ケース本体６０の背面開口を塞いで、複数のリベット１１２によってケース本体６０に固定してある。
【００５５】
圧縮された円錐圧縮コイルばね１２０、１２１が押し板１００の二箇所を強い力ＦでＹ２方向に押している。
【００５６】
インクパック９０は、円錐圧縮コイルばね１２０、１２１のばね力が作用している押し板１００によってＹ２方向に押されて、押し板１００とトレイ部材８０との間に挟まれて圧縮されており、且つ、刃６８からは離れている状態にある。インクパック９０にとっては、トレイ部材８０が床であり、前面板部６１が地面である関係にある。
【００５７】
支持部材７０はトレイ部材８０を介してＹ２方向に押されており、ガイドラグ７３ｂ，７４ｂがガイド孔６７，６８に確実に嵌合した状態とされ、ケース１３０内に位置規制されて、無用に動かないようになっている。Ｚ２方向についてみると、圧縮コイルばね７６，７７のばね力によって、支持部材７０が容易には動かないようになっている。支持部材７０が動かないようになっていることで、インクパック９０も無用に動かないようになっている。
【００５８】
また、上記のように、圧縮コイルばね７６，７７のばね力によって支持部材７０がＺ２方向に容易には動かないようになっているため、防盗用インクパック装置５０に衝撃が作用した場合にも防盗用インクパック装置５０が誤動作しないようになっている。
【００５９】
また、円錐圧縮コイルばね１２０、１２１が直接にインクパック９０に当接していないため、袋９２に傷がついて袋９２が無用に破損する虞はない。
【００６０】
ここで、円錐圧縮コイルばね１２０、１２１は、圧縮されると上側の巻き部が下側の巻き部の内側に収まり、円錐圧縮コイルばねを構成するワイヤの線径にまで薄くなる。よって、背面蓋部材１１０と押し板１００との間の寸法ｂが短くなり、防盗用インクパック装置５０は、Ｙ１−Ｙ２方向の寸法ｃを小さくできる。
【００６１】
以上が防盗用インクパック装置５０の構成である。
【００６２】
次に、上記構成の防盗用インクパック装置５０の動作について説明する。
【００６３】
図５Ａ、図５Ｂに示す状態で腕部７２がＺ２方向に引かれると、支持部材７０がＺ２方向に移動される。トレイ部材８０は、突き出し部８７がケース本体６０の側面板部６５の内面に当接してＺ２方向への移動を制限される。インクパック９０及び押し板１００も元の位置に留まる。
【００６４】
支持部材７０が図７に示す位置まで移動されると、同図に示すように、支持用ラグ７３ａ，７４ａがラグ部８５，８６から外れ、支持用ラグ７５ａ，７５ｂが部分８８，８９から外れ、トレイ部材８０が支持を解除され、円錐圧縮コイルばね１２０、１２１のばね力Ｆによって、トレイ部材８０、インクパック９０及び押し板１００が一体的にＹ２方向に瞬間的に勢い良く、トレイ部材８０が前面板部６１に当る位置まで移動される。即ち、インクパック９０にとってみると、それまで支えていた床が抜けた状態となる。図８はこのときの状態を示す。インクパック９０がＹ２方向に移動すると、刃６９がトレイ部材８０の開口窓８４内に相対的に入り込み、インクパック９０は刃６９に近づき刃６９に押し当って、袋９２が刃６９によって突き破られ、穴９３があき、インク９１が符号１４０で示すように、防盗用インクパック装置５０のインク噴射開口窓６６からＹ２方向に勢い良く噴射を開始する。
【００６５】
続いて、インクパック９０は、全体を押し板１００によってＹ２方向に押されるため、押し板１００がピストンのように機能して、インクパック９０が圧力を作用されて効果的に押しつぶされ、袋９２内の略全部のインク９１が一気にＹ２方向に拡散して勢い良く噴射されつづける。
【００６６】
ここで、押し板１００は円錐圧縮コイルばね１２０、１２１によって二箇所を押されるため、Ｙ２方向への変位は安定なされる。
【００６７】
このように、防盗用インクパック装置５０からは円錐圧縮コイルばね１２０、１２１のばね力によって袋９２内の略全部のインク９１がインク噴射開口窓６６からＹ２方向に一気にＹ２方向に勢い良く噴射されるため、紙幣保管室内の紙幣の全部がインクによって汚損され、紙幣２５は流通不能な状態とされる。
【００６８】
支持部材７０が防盗用インクパック装置５０が動作するまでＺ２方向に移動された後には、支持用ラグ７３ａ，７４ａがトレイ部材８０のラグ部８５，８６に係止されてＺ１方向への戻りを制限される。よって、腕部７２の位置から、防盗用インクパック装置５０が使用済みであるか否かを判断することが可能である。
【００６９】
上記の防盗用インクパック装置５０は上記で述べた他に以下の特長を有する。
【００７０】
１．ユニット化されている。
【００７１】
ケース１３０の内部にインクパック９０等が組み込まれており、防盗用インクパック装置５０はモジュール化及びユニット化してある。このため、キャッシュボックス１０については、扉と防盗用インクパック装置５０とを連結する機構を設け、防盗用インクパック装置５０を組み込むだけで済み、キャッシュボックス１０を組立てを簡単に行うことが出来る構造にすることが可能である。また、キャッシュボックス１０を小さいサイズにすることが可能である。
【００７２】
２．製造コストが低い。
【００７３】
動作の開始を検知するセンサ、インクを送るポンプ、ポンプを駆動するモータ等を使用していないため、及び、ソフトウェア及びファームウェアの設計も不要であるため、防盗用インクパック装置５０は製造コストが低い。
【００７４】
３．高い信頼性を有する。
【００７５】
動作の開始は、係止状態の解除によってなされ、且つインクの噴射は円錐圧縮コイルばね１２０、１２１のばね力を利用して、完全に機械的に行われる構成である。電源を使用していないため、電源に関するトラブルが発生する余地はなく、停電時でも正常に動作する。ソフトウェアも必要でないため、ソフトウェア関するトラブルが発生する余地もない。よって、高い信頼性を有する。
【００７６】
４．高い噴射性を有する。
【００７７】
インクの噴射は円錐圧縮コイルばね１２０、１２１のばね力を利用してなされており、インクの噴射は、速い噴射速度で、且つ、広く拡散してなされる。よって紙幣保管室内の全部紙幣をインクによってひどく汚損させることが出来る。紙幣保管室内の全部紙幣を流通不能な状態とすることが出来る。
【００７８】
また、円錐圧縮コイルばね１２０、１２１のばね力でもってインクが重力の方向に影響を受けないで噴射する構成であるため、防盗用インクパック装置５０は、キャッシュボックス等の貴重品保管庫内にどのような向きで取り付けてもよい。即ち、貴重品保管庫の天板の下面にインク噴射開口窓６６を下向きにした姿勢で取り付けることに限定されず、図１に示すように背面側にインク噴射開口窓６６を前側に向けた姿勢、又は、底面側にインク噴射開口窓６６を上に向けた姿勢で取り付けても、インクを紙幣に噴射させることが出来る。
【００７９】
次に防盗用インクパック装置５０の変形例について説明する。
【００８０】
上記の実施例における支持部材７０とトレイ部材８０とを組み合わせて船体形状の構造物とし、この構造物の底を刃から離して支持し、構造物が移動されたときに、落とし込まれ、インクパックが刃によって破られるようにしてもよい。
【００８１】
また、インクパックは所定位置に動かないように設け、刃とインク噴射開口窓とを有する板部材をばねによってインクパックの方向に付勢させて設け、板部材が係止を解除されて、ばね力によって移動してインクパックに押し当って、インクを噴射させるように構成してもよい。
【図面の簡単な説明】
【００８２】
【図１】  本発明の一実施例になる貴重品保管庫の内部の構造を示す図である。
【図２】  図１の貴重品保管庫の扉を正常に開いたときの状態を示す図である。
【図３】  図１の貴重品保管庫の扉を不正に開く途中の状態を示す図である。
【図４】  本発明の一実施例になる防盗用インクパック装置を分解して示す斜視図である。
【図５】  図５Ａ及び５Ｂは本発明の一実施例になる防盗用インクパック装置の内部の構造を示す図である。
【図６】  トレイ部材と支持部材との関係を示す図である。
【図７】  支持部材が移動されて、トレイ部材が支持部材による支持が解除されたときの状態を示す図である。
【図８】  防盗用インクパック装置が動作した直後の状態を示す図である。
【図９】  防盗用インクパック装置が動作を完了したときの状態を示す図である。
【図１】
0004197613.tif 000002
【図２】
0004197613.tif 000003
【図３】
0004197613.tif 000004
【図４】
0004197613.tif 000005
【図５Ａ】
0004197613.tif 000006
【図５Ｂ】
0004197613.tif 000007
【図６】
0004197613.tif 000008
【図７】
0004197613.tif 000009
【図８】
0004197613.tif 000010
【図９】
0004197613.tif 000011